(57)【要約】  ガーメントをアナトミーワーピングするためのシステムまたは方法が提供されている。アナトミーワーピングは、ガーメントの着用者の知覚された形状を所望の外観に向けて変更する目的での、ガーメントのシーム、ポケットおよび／または他の構築ラインおよび／またはディテールのあらゆる意図的な操作である。さらに、これらのアナトミーワーピング用システムおよび方法を使用した結果得られるガーメントも同様に提供されている。
2019521263.tif 000002
【特許請求の範囲】
【請求項１】
−  フロントサイドと；
−  前記フロントサイドとは反対側のリアサイドと；
−  着用時に前記ガーメントの着用者の臀部の第１の山上に少なくとも部分的に位置付けされた、前記リアサイド上の第１のポケットと；
−  着用時に前記ガーメントの前記着用者の前記臀部の第２の山上に少なくとも部分的に位置付けされた、前記リアサイド上の第２のポケットと、
を含むボディエンハンシングガーメントにおいて、
−  前記第１のポケットおよび前記第２のポケットが各々、
・  第２の湾曲部の上方の第１の湾曲部を伴い、前記第１の湾曲部が前記ポケットの中心に向かってアーチ状になり、前記第２の湾曲部が前記ポケットの中心から離れるようにアーチ状になっている、内側縁部、および、
・  前記ポケットの中心から離れるようにアーチ状になっている湾曲した最上縁部、
のうちの少なくとも１つを含み、
前記第１のポケットおよび前記第２のポケットにより形成されたラインおよびディテールが、着用されたときの前記着用者の前記臀部の外観を変化させる、
ボディエンハンシングガーメント。
【請求項２】
前記第１のポケットおよび前記第２のポケットが各々、
−  前記ポケットの中心から離れるようにアーチ状になっている湾曲した外側縁部、
を含み、
−  前記湾曲した外側縁部が前記内側縁部よりも長い、
請求項１に記載のガーメント。
【請求項３】
前記第１のポケットおよび前記第２のポケットの形状が、所望の臀部形状の２次元奥行マップを用いて作成される、請求項１に記載のガーメント。
【請求項４】
前記第１のポケットおよび前記第２のポケットが各々、
−  第２の湾曲部の上方の第１の湾曲部を伴い、前記第１の湾曲部が前記ポケットの中心に向かってアーチ状になり、前記第２の湾曲部が前記ポケットの中心から離れるようにアーチ状になっている、前記内側縁部、および、
−  前記ポケットの中心から離れるようにアーチ状になっている湾曲した、前記最上縁部、を含む、請求項１に記載のガーメント。
【請求項５】
−  前記内側縁部が上端部と下端部とを含み、
−  前記湾曲した最上縁部が内側端部と外側端部とを含み、
−  前記上端部および前記内側端部が連結して上部内側隅部を形成し、
−  前記第１のポケットの前記上部内側と前記第２のポケットの隅部間の距離が２インチ〜３インチ（５．０８ｃｍ〜７．６２ｃｍ）である、
請求項１に記載のガーメント。
【請求項６】
前記リアサイド上のヨークをさらに含み、
−  前記ヨークがウエストラインと前記第１および前記第２のポケットの間に位置付けされており、
−  前記湾曲した最上縁部が内側端部と外側端部とを含み、
−  前記内側端部と前記ヨークの間の距離が１／２インチ〜３／４インチ（１．２７ｃｍ〜１．９１ｃｍ）であり、
−  前記外側端部と前記ヨークの間の距離が１インチ〜１．５インチ（２．５４ｃｍ〜３．８１ｃｍ）である、
請求項１に記載のガーメント。
【請求項７】
前記第１のポケットおよび前記第２のポケットが、前記第１のポケットおよび前記第２のポケットの各々の中心において４インチ〜５  １／２インチの（１０．１６ｃｍ〜１３．９７ｃｍ）高さ、および最上縁部において４  １／２〜５  １／２インチ（１１．４３ｃｍ〜１３．９７ｃｍ）の第１の幅と、前記第１のポケットおよび前記第２のポケットの各々の中心における第２の幅であって、該第２の幅より約１／２インチ（１．２７ｃｍ）小さい、第２の幅とを有する、請求項１に記載のガーメント。
【請求項８】
前記リアサイド上のヨークをさらに含み、
−  前記ヨークがウエストラインと前記第１および第２のポケットの間に位置付けされ、
−  前記ヨークが右湾曲部と左湾曲部を有し、
−  前記右湾曲部および前記左湾曲部が各々、ウエストラインに向かってアーチ状になっており、前記リアサイドの水平方向中心で連結する、
請求項１に記載のガーメント。
【請求項９】
前記左湾曲部および右湾曲部の各々が、前記リアサイドの水平方向中心から３インチ〜３．５インチ（７．６２ｃｍ〜８．８９ｃｍ）の距離のところで、前記着用者の前記ウエストラインに最も近い、請求項８に記載のガーメント。
【請求項１０】
前記左湾曲部および前記右湾曲部が、前記リアサイドの前記水平方向中心から３インチ〜３．５インチ（７．６２ｃｍ〜８．８９ｃｍ）の距離のところで、下部ウエストシームより１／４インチ〜１  １／２インチ（０．６４ｃｍ〜３．８１ｃｍ）下方にある、請求項９に記載のガーメント。
【請求項１１】
−  第１のサイドシームと；
−  前記第１のサイドシームとは反対側の第２のサイドシームと；
をさらに含み、
−  前記ヨークの前記左湾曲部が、前記第１のサイドシームにおいて前記下部ウエストシームから１  ７／８インチ〜１  ３／４インチ（４．７６ｃｍ〜４．４５ｃｍ）の距離のところにあり、
−  前記ヨークの前記右湾曲部は、前記第２のサイドシームにおいて前記下部ウエストシームから１  ７／８インチ〜１  ３／４インチ（４．７６ｃｍ〜４．４５ｃｍ）の距離のところにある、
請求項１０に記載のガーメント。
【請求項１２】
第１のサイドパネルおよび該第１のサイドパネルと反対側の第２のサイドパネルを含み、前記第１のサイドパネルおよび前記第２のサイドパネルの幅がウエストラインから前記ガーメントの最下部まで漸進的に減少する、請求項１に記載のガーメント。
【請求項１３】
−  フロントサイドと；
−  第１のサイドシームと；
−  前記第１のサイドシームとは反対側の第２のサイドシームと；
−  前記フロントサイドとは反対側のリアサイドと；
−  前記リアサイド上のヨークと；
を含むボディエンハンシングガーメントにおいて、
−  前記ヨークがアナトミーワーピングされ、前記ガーメントのウエストラインの下方に位置付けされており、
−  前記ヨークが右湾曲部と左湾曲部を有し、
−  前記右湾曲部が前記第１のサイドシームから前記リアサイドの中心まで延在し、前記ガーメントの最上部に向かってアーチ状になっており、
−  前記左湾曲部が前記第２のサイドシームから前記リアサイドの中心まで延在し、前記ガーメントの前記最上部に向かってアーチ状になっており、
−  前記右湾曲部および前記左湾曲部が前記ガーメントの後部中心で連結する、ボディエンハンシングガーメント。
【請求項１４】
前記左湾曲部および前記右湾曲部の各々が、前記リアサイドの中心から２．５インチ〜８インチ（６．３５ｃｍ〜２０．３２ｃｍ）の距離のところで前記ウエストラインに最も近い、請求項１３に記載のガーメント。
【請求項１５】
前記左湾曲部および前記右湾曲部が、前記リアサイドの中心から３インチ〜３．５インチ（７．６２ｃｍ〜８．８９ｃｍ）の距離のところで下部ウエストシームより  インチ〜１  １／２インチ（  ｃｍ〜３．８１ｃｍ）下方である、請求項１４に記載のガーメント。
【請求項１６】
−  前記左湾曲部が、第１のサイドシームにおいて前記下部ウエストシームより１  ７／８インチ〜１  ３／４インチ（４．７６ｃｍ〜４．４５ｃｍ）の距離のところにあり、
−  前記右湾曲部が、前記第２のサイドシームにおいて前記下部ウエストシームより１  ７／８インチ〜１  ３／４インチ（４．７６ｃｍ〜４．４５ｃｍ）の距離のところにある、
請求項１５に記載のガーメント。
【請求項１７】
−  前記第１のサイドシームと共に第１のサイドパネルを形成する第３のサイドシームと；
−  前記第２のサイドシームと共に第２のサイドパネルを形成する第４のサイドシームと；
をさらに含み、
前記第１のサイドシームと前記第３のサイドシームの間の距離が、前記ウエストラインから前記ガーメントの最下部まで漸進的に減少し、
−  前記第２のサイドシームと前記第４のサイドシームの間の距離が、前記ウエストラインから前記ガーメントの最下部まで漸進的に減少する、
請求項１４に記載のガーメント。
【請求項１８】
少なくとも前記第３のサイドシームおよび前記第４のサイドシームが前記ガーメントの前記フロントサイド上にある、
請求項１７に記載のガーメント。
【請求項１９】
ボディエンハンシングパンツにおいて、
−  第１のシームと第２のシームの間に形成された第１のサイドパネルと；
−  第３のシームと第４のシームの間に形成された第２のサイドパネルと；
を含み、
−  前記第１のサイドパネルおよび前記第２のサイドパネルの幅が前記パンツの最上部から最下部まで漸進的に減少し、
−  前記第１のサイドパネルおよび前記第２のサイドパネルが、線遠近法の原理に基づいて形成される、ボディエンハンシングパンツ。
【請求項２０】
−  前記第１のサイドパネルおよび前記第２のサイドパネルの幅が、前記パンツの前記最上部において１インチ〜２インチ（２．５４ｃｍ〜５．０８ｃｍ）であり、
−  前記第１のサイドパネルおよび前記第２のサイドパネルの幅が、前記パンツの前記最下部において１／８インチ〜７／８インチ（０．３２ｃｍ〜２．２２ｃｍ）である、
請求項１９に記載のパンツ。
【発明の詳細な説明】
【技術分野】
【０００１】
関連出願の相互参照
本出願は、ＰＣＴ国際特許出願として２０１７年７月１４日に出願され、開示全体が参照により本明細書に組込まれている２０１６年７月１８日出願の米国特許出願第１５／２１２，６３７号に対する優先権を主張するものである。
【０００２】
著作権情報
本特許文書の一部分は、著作権保護を受ける資料を含んでいる。著作権所有者は、特許商標局の特許ファイルまたは記録中に見られるような特許文書または特許開示の何人による複製に対しても一切異議を唱えないが、その他の点ではあらゆる著作権の権利を留保するものである。
【背景技術】
【０００３】
衣料品メーカーにとって、可視シーム、ポケットおよび他のラインおよび／またはディテールを伴うガーメントを構築することは一般的なことである。これらの構築上の特徴部はガーメントの形状、ガーメントのフィットまたはファッション哲学を出すために付加される余分なディテールにとって必要なものであり得る。これらの構築上の特徴部は、着用者の体の上に収まるラインを形成する。
【０００４】
本明細書中で開示される態様が作製されたのは、これらのおよび他の一般的考慮事項との関係におけることである。同様に、比較的具体的な問題について論述される場合があるものの、態様は、本開示の背景技術の部分または他の箇所で識別される具体的問題を解決することに限定されるわけではない。
【発明の概要】
【０００５】
本開示は概して、アナトミーワーピング（anatomy warping）するためのシステムまたは方法に関する。より具体的には、アナトミーワーピングは、ガーメントの着用者の知覚された形状を所望の外観に向けて変更する目的での、ガーメントのシーム、ポケットおよび／または他の構築ラインおよび／またはディテールのあらゆる意図的な操作である。さらに、本開示は概して、これらのアナトミーワーピング用システムおよび方法を使用した結果得られるガーメントにも関する。
【０００６】
一態様において、本開示はボディエンハンシングガーメント（body-enhancing garment、ボディ強化衣服）に向けられている。このガーメントは、フロントサイド、リアサイド、第１のポケットおよび第２のポケットを含む。リアサイドは、フロントサイドとは反対側にある。リアサイド上の第１のポケットは、着用時にガーメントの着用者の臀部の第１の山の上に少なくとも部分的に位置付けされる。リアサイド上の第２のポケットは、着用時にガーメントの着用者の臀部の第２の山の上に少なくとも部分的に位置付けされている。第１のポケットおよび第２のポケットは各々：
−  第２の湾曲部の上方の第１の湾曲部を伴う内側縁部；および／または
−  ポケットの中心から離れるようにアーチ状になっている湾曲した最上縁部、を含む。
【０００７】
第１の湾曲部はポケットの中心に向かってアーチ状になり、第２の湾曲部はポケットの中心から離れるようにアーチ状になっている。第１のポケットおよび第２のポケットにより形成されたラインおよびディテールは、着用されたときの着用者の臀部の外観を変化させる。
【０００８】
別の態様において、本開示はボディエンハンシングガーメントに向けられている。このガーメントは、フロントサイドと、第１のサイドシームと、第２のサイドシーム、リアサイドおよびヨークを含む。第２のサイドシームは第１のサイドシームとは反対側にある。リアサイドは、フロントサイドとは反対側にある。ヨークは、リアサイド上にある。ヨークはアナトミーワーピングされ、ガーメントのウエストラインの下方に位置付けされている。さらに、ヨークは右湾曲部と左湾曲部を有する。右湾曲部は第１のサイドシームからリアサイド中心まで延在し、ガーメントの最上部に向かってアーチ状になっている。左湾曲部は第２のサイドシームからリアサイドの中心まで延在し、ガーメントの最上部に向かってアーチ状になっている。右湾曲部および左湾曲部はガーメントの後部の中心で連結する。
【０００９】
追加の態様において、本開示はボディエンハンシングパンツを提供する。このパンツは、第１のサイドパネルと第２のサイドパネルを含む。第１のサイドパネルは、第１のシームと第２のシームの間に形成される。第２のサイドパネルは、第３のシームと第４のシームの間に形成される。第１のサイドパネルおよび第２のサイドパネルの幅は、パンツの最上部から最下部まで漸進的に減少する。第１のサイドパネルおよび第２のサイドパネルは、パンツの着用者の脚部をより長くかつ/またはより細く見えるようにすることができる。
【００１０】
さらに別の態様においては、ボディエンハンシングガーメントをデザインするための方法が開示されている。この方法は、
−  アナトミーワーピングのための特徴部を選択するステップと；
−  選択された特徴部についての所望の外観を決定するステップと；
−  知覚法則に基づいて所望の外観に向けて選択された特徴部の知覚を変更するための１つ以上の構築ラインおよび／またはディテールを決定するステップと；
−  １つ以上の決定された構築ラインおよび／または構築ディテールをガーメントに付加するステップと；
を含む。
【００１１】
１つ以上の構築ラインおよび／またはディテールを決定するステップには、ガーメント上のラインおよび／またはディテールの位置付けおよびガーメントのラインおよび／またはディテールのサイジングを決定するステップが含まれる。
【００１２】
さらに別の態様において、本開示は、ボディエンハンシングガーメントをデザインまたは構築するための方法を含む。この方法は、以下のステップを含む：
−  所望の３Ｄ身体形状を識別するステップ；
−  ３Ｄ身体形状を２Ｄ奥行マップに変換するステップ；
−  平担なガーメントについて構築ディテールおよび／またはラインを識別するステップ；
−  ガーメントの２Ｄ奥行マップ上に構築ディテールおよび／またはラインを位置付けするステップ；
−  ２Ｄ奥行マップ上の位置を利用して構築ディテールおよび／またはラインを調整してワーピングされた構築ディテールおよび／またはラインを創出するステップ；
−  透視投影を用いてワーピングされた構築ディテールおよび／またはラインの２Ｄ画像を創出するステップ；および
−  ワーピングされた構築ディテールおよび／またはラインの２Ｄ画像に基づいて、ワーピングされた構築ディテールおよび／またはラインを伴うガーメントを構築するステップ。
【００１３】
さらなる態様において、本開示は、ボディエンハンシングされたガーメントをデザインまたは構築するための方法を提供する。この方法は、以下のステップを含む：
−  ２つの異なる屈曲グリッドを形成するため、選択された体の特徴部の実際の３Ｄ身体形状および所望の３Ｄ身体形状に対して平担なグリッドを適用するかまたはその周りで平担なグリッドを屈曲させるステップ；
−  身体形状の各々のグリッド上に選択された構築ラインおよび／またはディテールを位置付けするステップ；
−  各グリッド上の位置付けされた構築ラインおよび／またはディテールの対応する場所における２つの異なる屈曲グリッドの湾曲部間の湾曲差を発見するステップ；および、
−  対応するグリッドの場所において構築ラインおよび／またはディテールをワーピングするため、これらの決定された湾曲差を利用するステップ。
【００１４】
この概要は、詳細な説明において以下でさらに説明される選択された概念を簡略化した形で紹介するために提供されている。この概要は、請求対象の主題の主要な特徴または必須の特徴を識別するように意図されておらず、また、請求対象の主題の範囲を決定する上で一助となるものとして意図されているわけでもない。
【００１５】
これらのおよび他の特徴および利点は、以下の詳細な説明を読み、付随する図面を精査することで明らかになるものである。以上の一般的説明および以下の詳細な説明は共に単なる例示に過ぎず、クレームを限定するものではないということを理解すべきである。
【００１６】
非限定的かつ非網羅的な実施例または態様について、以下の図を参照しながら説明する。特許または出願ファイルは、カラーで作成された少なくとも１つの図面を含んでいる。カラー図面を伴う本特許または特許出願刊行物のコピーが、請求に応じてかつ必要な手数料を支払った時点で特許商標局によって提供される。
【図面の簡単な説明】
【００１７】
【図１】本開示の一態様に係る、脳が用いる知覚法則（測地学的仮定）を例示する２次元写真である。
【図２】本開示の一態様に係る、脳が用いる知覚法則（線遠近法）を例示する２次元写真である。
【図３】本開示の一態様に係る、平らに置かれたジーンズ、次に着用者が身につけたジーンズを例示する部分的背面図である。
【図４】本開示の一態様に係る、同じ仮想身体が着用した従来のポケットを伴うジーンズとアナトミーワーピングされたポケットを伴う同じジーンズを例示する部分背面図である。
【図５Ａ】本開示の一態様に係る、臀部についてのコンピュータ生成の所望の３次元身体形状を例示する背面図である。
【図５Ｂ】本開示の一態様に係る、図５Ａに示された臀部の所望の３次元身体形状から２次元奥行マップへのコンピュータ生成の変換を例示する概略的流れ図である。
【図５Ｃ】本開示の一態様に係る、臀部上のポケットの収まりに基づく改変または調整のために識別された（図５Ａおよび５Ｂ内で所望の特徴部として識別されている）臀部上に収まる従来のポケットを伴う平担なジーンズを例示する概略的流れ図である。
【図５Ｄ】本開示の一態様に係る、図５Ｂに示された２次元奥行マップ上の、臀部上に位置付けされた図５Ｃに示された従来のポケットを例示する部分背面図である。
【図５Ｅ】本開示の一態様に係る、図５Ｅに示された選択された平らなポケット（または従来のポケット５００）の２Ｄ画像、および図５Ｄに示された２Ｄ奥行マップから透視投影を用いて作成されたアナトミーワーピングされたポケットの２Ｄ画像を例示する正面平面図である。
【図６】本開示の一態様に係る、アナトミーワーピングされたヨークを例示するガーメントの背面図である。
【図７】本開示の一態様に係る、ガーメントの第１の部分上の従来のポケットおよび従来のヨークを伴う、および着用者が身につけたガーメントの第２の部分上のアナトミーワーピングされたポケットおよびアナトミーワーピングされたヨークを伴うジーンズを例示する背面図である。
【図８】本開示の一態様に係る、サイドパネルを伴うジーンズを例示する左正面斜視図である。
【図９】同一人物が身につけた直線シームを伴うシャツおよび本開示の一態様に係るアナトミーワーピングされたシームを伴う同じシャツを例示する正面平面図である。
【図１０】本開示の一態様に係る、アナトミーワーピングされた１本のシームを伴う平らに置かれたシャツを例示する正面平面図である。
【図１１】本開示の一態様に係る、アナトミーワーピングされた複数のシームを伴う平らに置かれたワンピースを例示する正面平面図である。
【図１２】本開示の一態様に係る、アナトミーワーピングされた複数のシームを伴う平らに置かれたワンピースを例示する正面平面図である。
【図１３】本開示の一態様に係る、アナトミーワーピングされた複数のシームおよびポケットを伴う平らに置かれたシャツを例示する正面平面図である。
【図１４】本開示の一態様に係る、アナトミーワーピングされた複数のポケットおよびアナトミーワーピングされた１つのヨークを伴う平らに置かれたワンピースを例示する背面平面図である。
【図１５】本開示の一態様に係る、表１中に記載の異なる測定場所を例示する、平らに置かれたパンツの部分背面図である。
【図１６】本開示の一態様に係る、アナトミーワーピングされたガーメントをデザインまたは構築するための方法を例示する流れ図である。
【図１７】本開示の一態様に係る、アナトミーワーピングされたガーメントをデザインまたは構築するための方法を例示する流れ図である。
【図１８】本開示の一態様に係る、アナトミーワーピングされたガーメントをデザインまたは構築するための方法を例示する流れ図である。
【発明を実施するための形態】
【００１８】
以下の詳細な説明においては、その一部を成し具体的実施形態または実施例を絵で示す添付図面が参照される。本開示の精神または範囲から逸脱することなく、これらの実施形態または実施例を組合せることができ、他の実施形態または実施例を利用することができ、かつ構造上の変更を加えることができる。したがって、以下の詳細な説明は、限定的な意味で考慮されるべきではなく、本開示の範囲は、添付クレームおよびその等価物によって定義される。
【００１９】
人間が目を開く毎に、その頭脳は３次元（３Ｄ）世界を見るために何兆回もの計算を行なう。これらの計算は、１組の法則にしたがって動作する。これらの法則のうちの１つは、測地学的仮定、すなわち１つの表面上の曲線がその表面の３Ｄ形状を明らかにする、というものである。このような理由で、図１を見ている人は、ラインが平担であるのは当然にせよ、必然的にそこに３Ｄ形状を見ることになる。具体的には、図１は、曲線のみで構成された２次元画像である。視覚系は、測地学的仮定を利用して、表面上のラインがその表面の３Ｄ形状に起因して湾曲することを仮定する。したがって、脳は、球形の表面上に存在しているものとして曲線を解釈し、この表面をページから突出しているように視覚される。
【００２０】
視覚系により利用される別の法則は、線遠近法である。線遠近法の一例が図２に示されており、ここでは、平行な線路は、次第に遠ざかるにつれて収束する。この奥行手掛りは、物体がさらに離れるように移動するにつれて、その視角は減少するという事実を利用する。したがって、我々の目標として線路間の距離を取り上げた場合、線路が非常に広い画像の最下部は、視覚者に近く見え、一方線路が非常に狭い画像の最上部は視覚者から遠くに見える。図２中に提示された画像は、２次元（２Ｄ）であり、そのため、奥行の知覚は、主として線遠近法手掛りを用いて、視覚系によって完全に構築される。
【００２１】
多くのガーメントが、主要布地に加え、可視的シーム、ポケットおよび他のディテールを伴って構築されている。これらの構築上のディテールは多くの場合、ガーメントが平らに置かれたとき直線を形成するが、身体上に着用された時点で湾曲した状態となる（測地学上の一特性；図３を参照のこと）。視覚系は、これらのラインの曲率は全面的に身体形状に起因する（すなわち、ガーメント上の曲線は、ガーメントを平らに置いた場合、直線になると考えられること）を仮定する。したがって、測地学的仮定を使用して、視覚系は、一部には構築ディテールの曲率に基づいて、３次元身体形状を構築する。
【００２２】
個体が一人の人物に出会う毎にこの個体の脳は、何分の１秒かのうちにその人物の健康および生殖適応度に関連する多数の感覚的手掛りを自動的に評価する、ということが進化心理学の分野から知られている。魅力に関する個体の初期判断は、この評価の要約であり、より健康でより生殖適応度が高いように見える個体に対して、より大きな魅力を感知する。したがって、一人物の体の三次元形状は、その人物の魅力を査定するのに使用される重大な感覚的手掛りである。
【００２３】
人が衣料品を着用する時、彼らは自発的に自らの体の上に複数のラインまたは構築ディテールを載せる。脳は、これらのディテールおよびラインを、上述の法則および他のいくつかの法則を用いて解釈する。現在の衣料品デザインは、脳がガーメント上のラインおよびディテールに対して脳独自の解釈を付加して着用者の形状を変えるということを考慮していない。したがって、既存のガーメント構築またはデザインがもつ問題点は、個体の形状を他の人にとって魅力の低いものにするガーメントを創出してしまう可能性があるという点にあり、これは、明らかにそのガーメントを着用する個人の望む結果ではない。知覚法則には多数の研究がなされてきたものの、これらの法則が、衣料品に適用されたことはない。さらに、知覚法則は、公知の魅力的なサイズおよび形状範囲および／または着用時の所望のサイズおよび形状範囲の中に入るように人間の特徴部の知覚を変更するために、ガーメント上で利用されたことがない。
【００２４】
このようにして、衣料品をデザインまたは製造するために知覚法則および所望の特徴部の範囲を利用するシステムまたは方法は、典型的に存在しない。したがって、本明細書中で開示されているシステムおよび方法は、着用者の知覚された形状を変更するために、知覚法則を用いて系統的にガーメントを構築するためのシステムおよび／または方法を提供する。これらの構築変更は、任意の着用者のアナトミー（anatomy、人体、解剖学的構造）に基づくものであり、本明細書中では、アナトミーワーピング（anatomy warping）と呼ばれる。一部の実施形態において、アナトミーワーピングは、着用者の魅力を増大させるために使用される。例えば、魅力的な体は、魅力的でない体とは異なる形でガーメント上のシームおよびポケットを湾曲させる。したがって、本明細書中で開示されているシステムおよび方法は、着用者がより魅力的なものとして知覚されるように着用者の３Ｄ形状の知覚を変更するべく魅力な体により創出される湾曲部に基づいて、平担なガーメント上で構築ディテールを湾曲させることができる。しかしながら、他の実施形態においては、着用者の外観を任意の所望の特徴部形状に向けて変更させるために、アナトミーワーピングが使用される。
【００２５】
ガーメントの構築特徴部に対する変更は、臀部、脚部、胸部、ウエスト、足、腰などの任意の人体部分または部域を網羅し得る。このリストは、単なる一例に過ぎず、限定的なものとして意図されていない。ガーメントは、人間が着用し得る任意の衣料品アイテム、例えばパンツ、シャツ、スカート、ジャケット、ショートパンツ、スカート、ワンピース、レギンス、カプリパンツ、ブラジャ、下着、水着、靴などを含む。このリストは、単なる一例であって限定的な意味はない。
【００２６】
ここで、複数の図を通して同じ番号が同じ要素を表わしている図面を参照して、本開示のさまざまな態様について説明する。図３は、本開示の一態様に係る、平担に置かれた状態３０２および着用した状態の３０４のジーンズ３００を例示する部分背面図である。ポケット３０６は、直線縁部３０８を有する。ジーンズ３００が着用された場合３０４、直線縁部３０８は湾曲するように見える。上述のように、直線は、丸い物体の上に置かれた場合、曲線に見える。脳は、この湾曲部を解釈し、一部にはこの湾曲部に基づいて臀部のサイズおよび形状を推定する。
【００２７】
脳が臀部上の湾曲部から３Ｄ形状を自動的に構築することは分かっているため、臀部の知覚された形状を変更するためにポケットの形状、サイズおよび／または位置付けを調整することが可能である。形成外科の分野では、魅力的とみなされる女性の臀部の形状のいくつかの特性が識別されている。したがって、臀部の知覚された形状をより魅力的に見えるようにまたはこれらの公知の形成外科特性により近いものに見えるように変更するため、ポケットを調整することができる。形成外科の分野では同様に、アナトミーワーピングのために利用され得る魅力的とみなされる複数の他の身体部分、部域および／または特徴部の形状の特性も識別されている。
【００２８】
例えば、図４は、本開示の一態様に係る、従来のポケット４０６を伴うジーンズ４００および、同じ仮想身体またはアバターが着用したアナトミーワーピングされたポケット４１６を伴う同じジーンズ４００を例示する部分背面図である。従来のポケット４０６を伴うジーンズは、標準的ジーンズ４０２と呼ばれる。アナトミーワーピングされたポケット４１６を伴うジーンズ４００は、調整済みジーンズ４０４と呼ばれる。異なるジーンズ４００の各々は、着用時に少なくとも部分的に着用者の臀部の第１の山上に位置付けされるリアサイド上の第１のポケットと、着用時に少なくとも部分的に着用者の臀部の第２の山上に位置付けされるリアサイド上の第２のポケットとを含む。本明細書中で使用されるポケットとは、ガーメント上の収容部または区画、あるいはフェイクである収容部または区画の輪郭線である。本明細書中で使用されるフェイクの収容部または区画は、実際にはガーメント上に存在せず、縫い目によって表現される区画である。標準的ジーンズ４０２は、直線の側縁部４０８および標準的ポケットサイジングおよび位置付けを伴う従来のポケット４０６を使用する。調整済みジーンズ４０４は、アナトミーワーピングされたポケット４１６を含む。アナトミーワーピングされたポケット４１６は、従来のポケット４０６を用いた標準的ジーンズ４０２と比較した場合に、知覚法則を用いて臀部の知覚される形状を変更するように調整されている。例えば、ポケット４１６の内側側縁部４１６は湾曲している。この実施形態において、内側側縁部４１８は、１２度の円弧または湾曲部を含む。しかしながら、他の所望の特徴部形状を達成するために、他の湾曲部角度を利用してもよい。さらに、この実施形態において、ポケット４１６は、標準的ジーンズ４０２上の従来のポケット４０６に比べて、内向きに０．３インチだけ移動され、上向きに０．２５インチだけ移動されて、９％小さい。構築ラインおよびディテールのこれらの差異は、従来のポケット４０６に比較した場合、公知の形成外科特徴に基づきより魅力的に見えるように着用者の臀部の外観を変更する。
【００２９】
ガーメントをアナトミーワーピングするために、いくつかの異なるプロセスまたは方法を利用してよい。一部の実施形態では、人間のモデル上での可視検査の後、知覚法則（例えば測地学的仮定の原理）に基づいて衣料品上の構築ラインおよびディテールを手作業で調整することによって、アナトミーワーピングを行なうことができる。他の実施形態においては、アナトミーワーピングは、選択された特徴部の実際の身体形状とその選択された特徴部のための所望の身体形状の間に見られる湾曲部の差異に基づくものである。他の実施形態においては、アナトミーワーピングのための方法１６００を、図１６に例示されているように使用してよい。
【００３０】
図１６は、本開示の一態様に係る、アナトミーワーピングされたガーメントをデザインまたは構築するための方法１６００を例示する流れ図である。アナトミーワーピングは、着用者の生体形状の知覚されたサイズおよび／または形状を変更するために知覚法則を使用する。一部の実施形態においては、着用者の魅力を増大させるために、アナトミーワーピングが使用される。図５Ａ〜５Ｅは、臀部の外観を変更するためにジーンズをアナトミーワーピングするための方法１６００の異なる動作の概略的実施例を示す。
【００３１】
ルーチンまたは方法１６００は、動作１６０２から始まり、ここで所望の３Ｄ身体形状または身体の特徴部が識別される。特徴部は、ガーメントにより覆われている身体の任意の身体部分または部域であり得る。例えば、特徴部は臀部または胸部であってよい。一部の実施形態において、所望の３Ｄ身体形状は、１つ以上のコンピュータデバイスにより生成される。一部の実施形態において、所望の３Ｄ身体形状は、公知の魅力的なサイズおよび形状の範囲に基づく魅力的な身体形状である。他の実施形態において、所望の３Ｄ身体形状は、身体の特定の特徴部の外観を強調または最小化する。例えば、所望の身体形状は、１つ以上の特徴部についての任意の所望のサイズおよび／または形状範囲であり得る。図５Ａは、臀部５６０についてのコンピュータ生成された所望の３Ｄ身体形状５５０の一例を示す。
【００３２】
動作１６０２中に３Ｄ身体形状が識別された後、方法１６００は動作１６０４まで移動する。動作１６０４において、所望の３Ｄ身体形状は２Ｄ奥行マップに変換される。一部の実施形態において、所望の３Ｄ身体形状の２Ｄ奥行マップは、１つ以上のコンピュータデバイスにより生成される。例えば、図５Ｂは、臀部５６０の所望の３Ｄ身体形状５５０から２Ｄ奥行マップ５７０へのコンピュータ生成の変換の一例を示す。
【００３３】
次に、方法１６００は、平担なガーメントについての１つ以上の構築ラインおよび／またはディテールが識別される動作１６０６まで進む。一部の実施形態において、動作１６０６は、ワーピングのための平担なガーメント上の既存の構築ラインおよび／または構築ディテールを識別する。他の実施形態では、動作１６０６は、１つ以上の識別された特徴部上にまたはその近くに存在するように平担なガーメントに付加すべき構築ラインおよび／または構築ディテールを識別する。さらなる実施形態において、動作１６０６は、ガーメントに付加すべき構築ラインおよび／または構築ディテールを識別し、平担なガーメント上の既存の構築ラインおよび／またはディテールを識別する。例えば、図５Ｃは、臀部５６０（図５Ａおよび５Ｂの識別された所望の特徴部）上におけるポケットの収まりに基づく改変または調整のために識別されている臀部５６０上に収まる従来のポケット５００を伴う平担なジーンズ５８０の一実施例を示す。
【００３４】
動作１６０６においてひとたび構築ラインおよび／またはディテールが識別されたならば、動作１６０８が行なわれる。動作１６０８において、構築ラインおよび／またはディテールは所望の３Ｄ身体形状の２Ｄ奥行マップ上に位置付けされる。一部の実施形態において、構築ラインおよび／またはディテールのサイズも同様に動作１６０８で決定される。動作１６０８における位置付けは、着用時に１つ以上の構築ラインおよび／またはディテールが選択された特徴部上またはその近くに収まることを保証する。一部の実施形態において、動作１６０８は、１つ以上のコンピュータデバイスにより行なわれる。例えば、図５Ｄは、２Ｄ奥行マップ５７０上で臀部５６０上に位置付けされている図５Ｃに示されているような平らなポケット５００の一例を示す。一部の実施形態において、構築ラインおよび／またはディテールの位置付けおよび／またはサイズは、以下でより詳しく説明する適応遺伝的アルゴリズムを使用することによって、動作１６０８において決定される。他の実施形態では、構築ラインおよび／またはディテールの位置付けおよび／またはサイズは、知覚法則および／または目視に基づいて、動作１６０８で決定される。さらなる実施形態において、サイズおよび位置付けは、シミュレートされたガーメント上で構築ラインおよび／またはディテールのサイズおよび位置を消費者が調整できる調整タスクに由来し得る。例えば、消費者は、スライダを左または右に移動させることができ、ここで左はより小さいサイズをシミュレートし、右はより大きいサイズをシミュレートする。消費者の選好性が蓄積されて、好ましいサイジングおよび位置付けを知らせ、次に構築ディテールに適用される。
【００３５】
次に、動作１６１０が行なわれる。動作１６１０において、構築ラインおよび／またはディテールは、ワーピングされた構築ディテールおよび／またはラインを創出するため、２Ｄ奥行マップ上のそれらの位置に基づいて調整される。換言すると、構築ラインおよび／またはディテールは、所望の特徴部を伴う身体が着用した場合であれば平らなポケット上に創出されると考えられる湾曲部を示すため、動作１６１０において、２Ｄ奥行マップにしたがって変位させられる。一部の実施形態において、動作１６１０は１つ以上のコンピュータデバイスによって行なわれる。
【００３６】
動作１６１０の後、動作１６１２が行なわれる。動作１６１２において、ワーピングされた構築ラインおよび／またはディテールの２Ｄ画像が、透視投影を用いて創出される。一部の実施形態において、動作１６１２は１つ以上のコンピュータデバイスにより行なわれる。形成された２Ｄ画像は、識別された特徴部の知覚を所望の３Ｄ身体形状の外観に向けて変更するアナトミーワーピングされた構築ラインおよび／またはディテールをガーメントに対して付加するためのテンプレートを提供する。例えば、図５Ｅは、選択された平らなポケット５００（または従来のポケット５００）の２Ｄ画像および２Ｄ奥行マップ５７０から透視投影を利用して創出されたアナトミーワーピングされたポケット５０２の２Ｄ画像の例を示す。
【００３７】
一部の実施形態において、消費者はさらに、動作１６１２の間に形成されたアナトミーワーピングされた構築ラインおよび／またはディテールを調整することができる。この入力は、シミュレートされたガーメント上のワーピング量を消費者が調整することのできる調整タスクに由来してよい。例えば、消費者はスライダを左または右に移動させることができ、ここで左はワーピングの減少をシミュレートし、右はワーピングの増大をシミュレートする。このとき、動作１６１２の間に構築ラインおよび／またはディテールに対し適用すべきワーピングの選好量を知らせるために、消費者の選好性が蓄積される。
【００３８】
動作１６１４において、２Ｄ画像に基づくワーピングされた構築ラインおよび／またはディテールはガーメントを構築するために使用され、かつ／または、すでに構築されたガーメントに付加される。一部の実施形態において、１つ以上の決定された構築ラインおよび／または構築ディテールは、機械を用いておよび／または自動化された組立てプロセスにおいてガーメント上に形成される。他の実施形態において、１つ以上の決定された構築ラインおよび／または構築ディテールは、手作業でガーメントに付加されるかまたはガーメント上に構築される。変形実施形態において、１つ以上の決定された構築ラインおよび／または構築ディテールは、手作業でおよび機械を介して形成される。
【００３９】
一部の実施形態においては、図１７で例示されているように、アナトミーワーピングされたガーメントをデザインするための方法１７００が開示されている。この方法１７００は、動作１７０２において、アナトミーワーピングのための特徴部を選択するステップと；動作１７０４において、選択された特徴部についての所望の外観を決定するステップと；動作１７０６において、知覚法則に基づいて所望の外観に向けて特徴部の知覚を変更するための１つ以上の構築ラインおよび／またはディテールを決定するステップと；動作１７０８において、１つ以上の決定された構築ラインおよび／または構築ディテールをガーメントに付加するステップとを含む。動作１７０６は、ガーメント上のラインおよび／またはディテールの位置付けを決定するステップおよびガーメント上のラインおよび／またはディテールのサイジングを決定するステップを含んでいてよい。
【００４０】
一部の実施形態において、構築ラインおよび／またはディテールのワーピング、サイジングおよび／または位置付けは、１つ以上の構築ラインおよび／またはディテールの決定ステップ中に消費者のフィードバックに基づいて決定または調整される。例えば、構築ラインおよび／またはディテールのワーピング、位置付けおよび／またはサイジングの量は、シミュレートされたガーメント上のワーピング量を消費者が調整し得る調整タスクを利用することによって決定される。例えば、消費者はスライダを左または右に移動させることができ、ここで左はワーピングの減少（サイジングの増大および／または場所の移動）をシミュレートし、右はワーピングの増大（サイジングの減少および／または場所の移動）をシミュレートする。このとき、構築ラインおよび／またはディテールに対し適用すべきワーピング（サイジングおよび／または場所）の選好量を知らせるために、消費者の選好性が蓄積される。
【００４１】
変形実施形態においては、アナトミーワーピングされたガーメントをデザインまたは構築するための方法が提供される。この方法は、以下のステップを含む：所望の３Ｄ身体形状を識別するステップ；３Ｄ身体形状を２Ｄ奥行マップに変換するステップ；平担なガーメントについて構築ディテールおよび／またはラインを識別するステップ；ガーメントの２Ｄ奥行マップ上に構築ディテールおよび／またはラインを位置付けするステップ；２Ｄ奥行マップ上の位置を利用して構築ディテールおよび／またはラインを調整してワーピングされた構築ディテールおよび／またはラインを創出するステップ；透視投影を用いてワーピングされた構築ディテールおよび／またはラインの２Ｄ画像を創出するステップ；およびワーピングされた構築ディテールおよび／またはラインの２Ｄ画像に基づいて、ワーピングされた構築ディテールおよび／またはラインを伴うガーメントを構築するステップ。
【００４２】
さらなる態様においては、図１８に例示されているように、アナトミーワーピングされたガーメントをデザインまたは構築するための方法１８００が提供されている。この方法１８００は、以下のステップを含む：動作１８０２において、２つの異なる屈曲グリッドを形成するため、選択された体の特徴部の実際の３Ｄ身体形状および所望の３Ｄ身体形状に対して平担なグリッドを適用するかまたはその周りで平担なグリッドを屈曲させるステップ；動作１８０４において、身体形状の各々のグリッド上に選択された構築ラインおよび／またはディテールを位置付けするステップ；動作１８０６において、各グリッド上の位置付けされた構築ラインおよび／またはディテールの対応する場所における２つの異なる屈曲グリッドの湾曲部間の湾曲差を発見するステップ；および、動作１８０８において、対応するグリッドの場所において構築ラインおよび／またはディテールをワーピングするため、これらの決定された湾曲差を利用するステップ。
【００４３】
上述のように、図５Ｅは、本開示の一態様に係る、従来のポケット５００およびアナトミーワーピングされたポケット５０２を例示する正面平面図である。プロセス１６００に基づくと、従来のポケット５００は、アナトミーワーピングされたポケット５０２内に示されているような内側縁部５０４上のＳ字形湾曲部を含む。この実施形態において、ポケット５０２は、第２の湾曲部５１２の上方の第１の湾曲部５１０を伴う内側縁部５０４を含む。内側縁部５０４の第１の湾曲部５１０は、ポケット５０２の中心５１４に向かってアーチ状になっており、内側縁部５０４の第２の湾曲部は、ポケット５０２の中心５１４から離れるようにアーチ状になっている。
【００４４】
さらに、この実施形態において、ポケット５０２の最上縁部５０６は、着用者の臀部の外観を変えるように湾曲している。換言すると、ポケット５０２は、ポケット５０２の中心５１４から離れるようにアーチ状になっている湾曲した最上縁部５０６を含む。この実施形態において、プロセス１６００に基づいて、ポケット５０２の外側縁部５０８も同様に着用者の臀部の外観を変更するように湾曲させられている。こうして、ポケット５０２は、ポケット５０２の中心５１４から離れるようにアーチ状になっている湾曲した外側縁部５０８を含む。
【００４５】
さらに、ポケット５０２は、非対称であり、着用者の臀部の知覚を変更するため、外側縁部５０８は内側縁部５０４よりも短く丸い。換言すると、湾曲した外側縁部５０８は、ポケット５０２内側縁部５０４よりも長い。ポケット５０２の湾曲した最上縁部５０６は、内側端部５１５および外側端部５１６を含む。ポケットの内側縁部５０４は、上端部５１８と下端部５２０を含む。上端部５１８と内側端部５１５は交わって、ポケット５０２上で上部内側隅部５２４を形成する。ポケット５０２の外側縁部５０８は、最上端部５２１および最下端部５２２を含む。外側端部５１６は、最上端部５２１と交わって上部外側隅部５２６を形成する。下端部５２０および最下端部５２２は交わって、下部隅部５２８を形成する。
【００４６】
さらに、プロセス１６００に基づいて、従来のポケット５００のアクセントディテール５３０も同様に調整された。着用者の臀部の知覚を変更するため、プロセス１６００に基づいて内側湾曲部５３２は幅が広げられ、高さが増大しており、一方、外側湾曲部５３４の幅はより小さくされているものの、深さが増大されている。
【００４７】
ポケット５０２について理想的な構築ラインを決定することに加えて、プロセス１６００によってサイズおよび配置などのポケットのための理想的構築ディテールも決定された。この実施形態において、方法１６００は、臀部の知覚を変更するため従来のポケットサイズおよび配置に比べて、ポケットのサイズを縮小し、ポケットの位置を上向きおよび内向きに移動させた。
【００４８】
上述のように、一部の実施形態において、構築ラインおよび／またはディテールのサイズおよび／または配置を決定するために、適応遺伝的アルゴリズムを利用することができる。適応遺伝的アルゴリズムは、さまざまな被験者からのデータを利用して、着用者の特定の特徴部についてガーメント上の構築ラインおよび／またはディテールの最も所望されるサイズおよび位置を見つける。このプロセスでは、被験者に対し、着用者の特定の特徴部（すなわち臀部、胸部、脚部、ウエストなど）の外観を変更するさまざまな異なる構築ラインおよび／またはディテールを伴う、着用者のこれらの特徴部を例証する無作為の異なるガーメントのセットが与えられる。被験者は次に、最も魅力的であるかまたは所望の特徴部を最も良く実証する１つまたは複数のガーメントをグループから選択するよう求められる。次にアルゴリズムは、着用者の外観を変えるため異なる構築ラインおよびディテールを含む先の選択に基づいて異なる新規のガーメントを選択し、同じ被験者に、最も魅力的であるかまたは所望の特徴部を最も良く実証する１つまたは複数のガーメントをグループから再度選択するように求める。各々の構築ラインおよび／またはディテールが、知覚法則に基づいて着用者の外観を改変させるように、具体的に創出される。このプロセスは反復的に行なわれる。一部の実施形態において、アルゴリズムは、約２０回の生成またはトライアルの後、特定の特徴部上または近くにあるガーメントについての構築ラインおよび／またはディテールの最も魅力的なまたは最も所望されるサイズおよび／または位置に収束する。しかしながら、アナトミーワーピングのために知覚法則に基づいて構築ラインおよび／またはディテールを位置付けおよび／またはサイジングするのに、任意の好適なシステムまたは方法を利用することが可能である。
【００４９】
一部の実施形態において、アナトミーワーピングされたポケット５０２の上部内側隅部５１８間の距離は、２インチ〜３インチ、１．７５インチ〜３インチ、２インチ〜２．７５インチまたは２．２５インチ〜２．５インチである。さらなる実施形態において、外側端部５１６からヨークまでの距離は、１インチ〜１．５インチである。他の実施形態において、各ポケット５０２の高さは、各ポケット５０２の中心５１４において、４インチ〜５．５インチ、４インチ〜５インチ、４．２５インチ〜４．７５インチまたは４インチ〜９インチである。追加の実施形態において、各ポケット５０２の幅は、最上縁部５０６において４．５〜５．５インチまたは４．５〜７インチである。さらなる実施形態において、中心５１４におけるポケット５０２の幅は、ポケット５０２の最上縁部５０６における幅よりも約０．２５インチ、０．５インチ、または０．７５インチ小さい。他の実施形態において、内側端部５１５からヨークまでの距離は０．５インチ〜０．７５インチである。さらなる態様において、下表１は、アナトミーワーピングを用いた異なるパンツスタイルのリアサイド上の着用者の臀部上に位置設定されたワーピングされたポケットのための異なるサイズおよび配置を列挙している。
【００５０】
意外にも、ポケットの配置、サイズおよび形状は、下表１により例示されているように、さまざまなパンツのサイズおよびスタイルを横断して適用された場合でも、着用者の魅力を増大させる差異はわずかなものに過ぎないことが分かった。さらに、ポケットの配置、サイズおよび形状は、中国およびインドなどの異なる民族性および地理的地域を横断して適用された場合でも、着用者の臀部の魅力を増大させ、差異はわずかなものに過ぎないことが判明した。
【００５１】
ポケットに加えて、他の構築ラインは多くの場合、ヨークなどのガーメントのリアサイド上に現われる。図３に例示されているように、ヨーク３１０は、臀部の上方のジーンズ３００のリアサイド上または、臀部上部部分上およびジーンズ３００のウエストライン３１２の下方のシームラインである。本明細書中で使用されるウエストラインは、着用時に着用者のウエストまたはその近くの場所でガーメントの周りに延在する水平ラインを意味する。一部の実施形態において、ウエストラインは、ガーメント上の可視シームまたはラインである。他の実施形態において、ウエストラインは、着用時に着用者のウエストまたはその近くでガーメント上に描くことのできる不可視ラインである。変形実施形態において、ウエストラインはガーメント上で少なくとも部分的に可視であり、少なくとも部分的に不可視である。例えば、図１１は、不可視ウエストライン１１０９を例示し、図１２は可視ウエストライン１２４０を例示している。ポケットが存在する場合、ヨーク３１０はポケット３０６の上方でガーメントのウエストライン３１２の下方に位置設定される。従来、ヨーク３１０は、図３に例示されているように、ガーメントの背面を横断して水平方向にかつ真直ぐ進む直線であるかまたは、わずか下向きに傾斜してガーメントのリアサイドの中心３１４で交わって広いＶ字形状を作り出す２本の直線である。ポケット３０６の直線の縁部３０８と同様に、着用者３０４がジーンズ３００上で直線のヨーク３１０を身につけた場合、ヨーク３１０は湾曲するように見える。脳はこの湾曲部を解釈し、この湾曲部に基づいて臀部のサイズおよび形状を推定する。
【００５２】
したがって、一部の実施形態において、ヨークの形状、サイズおよび／または位置付けは、臀部の知覚された形状を変更するためにアナトミーワーピングされる。一部の実施形態において、ヨークの各サイドは、臀部の知覚を変更し、図６に例示されているように着用者の臀部をより丸くかつ／またはより突出したものに見えさせるため、ガーメント上で湾曲させられる。図６は、本開示の一態様に係る、着用者の臀部の知覚を変更するためのアナトミーワーピングされたヨーク６０２を例示するガーメント６００の背面図である。ヨーク６０２は、右湾曲部６０４と左湾曲部６０６を有する。この実施形態において、右湾曲部６０４および左湾曲部６０６は各々ガーメント６００のウエストライン６０８に向かって弧を描く、つまりアーク状になっている。右湾曲部６０４および左湾曲部６０６は各々、異なるサイドシームから延在し、ガーメント６００のリアサイドの水平方向中心６１０で連結して、ハート形の最上部に類似するかまたはスイートハートネックラインに類似する形状を創出する。この実施形態では、ヨーク６０２は、同じ着用者上の従来のヨークを伴う同じガーメントに比べた場合、着用者の臀部の知覚をより丸くかつ／またはより突出して見えるように変更する。
【００５３】
一部の実施形態において、左湾曲部６０６および右湾曲部６０４は、リアサイドの水平方向中心６１０から、２．５インチ〜４．２５インチ、３．７５インチ〜３．５インチ、３インチ〜３．５インチ、３インチ〜３．７５インチ、０インチ〜８インチまたは３．２５インチ〜４インチの距離のところで、ガーメントのウエストライン６０８に最も接近している。さらなる実施形態において、左湾曲部６０６および右湾曲部６０４の各々は、リアサイドの水平方向中心６１０から３インチ〜３．５インチの距離のところでウエストライン６０８の下部ウエストシーム６１４より０．５インチ〜１．５インチ下方にある。追加の実施形態では、左湾曲部６０６および右湾曲部６０４は各々、第１のサイドシームにおいて、下部ウエストシーム６１４から１．５インチ〜２．２５インチまたは１  ７／８インチ〜１．７５インチ〜の距離のところにある。他の実施形態では、左湾曲部６０６および右湾曲部６０４は各々、３インチ〜３．５インチの距離において下部ウエストシーム６１４まで０．５インチ〜１．５インチまたは０インチ〜５インチの距離のところまたはリアサイドの水平方向中心６１０から２．５〜８インチの距離のところにある。他の態様では、下表１が、アナトミーワーピングを利用して異なるパンツスタイルのリアサイド上で着用者の臀部全体にわたってまたは臀部のすぐ上に位置設定されたヨークについての異なるサイズおよび配置寸法を列挙している。
【００５４】
図７は、本開示の一態様に係る、着用者７１４の第１の側７０６に従来のポケット７０２および従来のヨーク７０４を伴い第２の側７１２にアナトミーワーピングされたポケット７０８およびアナトミーワーピングされたヨーク７１０を伴うジーンズ７００を例示する背面図である。図７は、知覚法則を用いたポケット７０８およびヨーク７１０の湾曲部に対する微妙な修正がどのようにして脳に非常に異なる形で同じ臀部を知覚させることになるかを例示している。例えば、ジーンズ７００の両側７０６および７１２を同一人物７１４が着用していても、従来のポケット７０２およびヨーク７０４を伴う第１の側７０６は臀部を平担に見せ、一方アナトミーワーピングされたポケット７０８とアナトミーワーピングされたヨーク７１０を伴う第２の側７１２は、臀部を丸くかつ／または突出したように見せる。したがって、アナトミーワーピングされたポケット７０８および／またはアナトミーワーピングされたヨーク７１０は、従来のポケット７０２および／または従来のヨーク７０４に比べた場合、着用者の臀部の外観を、より丸くかつ／またはより突出して見えるように変更する。一部の実施形態において、アナトミーワーピングされたポケット７０８および／またはアナトミーワーピングされたヨーク７１０は、従来のポケット７０２および／または従来のヨーク７０４に比べた場合、着用者の臀部の外観をより魅力的に見えるように変更する。
【００５５】
上述のアナトミーワーピングされたポケットおよびヨークはパンツ上で例示されてきたが、これらのアナトミーワーピングされた構築ラインおよびディテールは、スカート、ショートパンツ、カプリパンツ、オーバーオール、スコートおよびワンピースなどのさまざまな異なるガーメントのリアサイドに適用可能である。例えば、図１４は、本開示の一態様に係る、アナトミーワーピングされたポケット１４０２およびアナトミーワーピングされたヨーク１４０４を伴うワンピースを例示する背面平面図である。上述のアナトミーワーピングされたポケットおよびヨークは、魅力を増大させるための所望の丸味範囲に焦点を合わせていたが、知覚法則を用いて所望の特徴部範囲／寸法に向かって臀部の知覚を変更させるためにアナトミーワーピングによって任意の所望の特徴部範囲／寸法を利用することができる。例えば、知覚法則は、臀部についての所望のサイズ範囲、平担度範囲および／または別の形状範囲に向かって移動するようにまたはこれらの範囲内に入るように臀部の知覚を変更するために利用されてよい。
【００５６】
すでにガーメント上に存在する構築ラインおよび／またはディテールを修正または調整することに加えて、アナトミーワーピングのために追加の構築ラインまたは構築ディテールをガーメントに対し付加してもよい。例えば図８に例示されるように、ウエストライン８０４から最下部８０６まで幅が漸進的に減少するパンツ８００の各々の側のサイドパネルは、着用者の脚部をより長くかつ／またはより細く見せることができる。図８は、本開示の一態様に係る、サイドパネル８０２を含むパンツ８００を例示する左側斜視図である。一部の態様においては、着用者の脚部をアナトミーワーピングするためにサイドパネル８０２を利用することができる。この実施形態においては、第１のシーム８０８と第２のシーム８１０の間に第１のサイドパネル８０２が形成され得る。この第１のサイドパネルとは反対側の第２のサイドパネルが、第３のシームと第４のシームの間に形成され得る。この実施形態において、第１のサイドパネル８０２および第２のサイドパネルの幅は、パンツ８００のウエストライン８０４から最下部８０６まで漸進的に減少する。例えば、ウエストラインの近くの幅８１６は、パンツ８００の垂直方向中心近くの幅８１８よりも大きい。さらに、パンツのウエストライン近くの幅８１６および垂直方向中心近くの幅８１８は両方共、パンツ８００の最下部近くの幅８２０より大きくかつ／または広い。一部の実施形態において、第１のサイドパネルおよび第２のサイドパネルは、着用者の脚部がより長く、より短く、より細く、より大きくする、および／またはガーメントの着用者の脚部についての他の任意の所望の特徴部寸法にするためにアナトミーワーピングを利用することができる。
【００５７】
一部の実施形態において、第１のサイドパネルおよび第２のサイドパネルの幅は、パンツのウエストライン８１６において１インチ〜２インチ、そしてパンツ８００の最下部において１／８インチ〜７／８インチである。他の実施形態において、第１のサイドパネルおよび第２のサイドパネルの幅は、パンツのウエストライン８１６において１インチ〜５インチ、パンツ８００の最下部８２０において１／８インチ〜３  ７／８インチである。一部の実施形態において、各々のサイドパネルは、パンツのリアサイドとフロントサイド間の側に位置設定される。他の実施形態において、サイドパネルは少なくとも部分的にパンツのフロントサイドまたはリアサイド上に位置設定される。変形実施形態において、各サイドパネルは、完全にパンツのフロントサイドまたはリアサイド上に位置設定される。他の実施形態において、各サイドパネルは、一部分がパンツのフロントサイド上、一部分がリアサイド上に位置設定される。サイドパネルがパンツのリアサイドまたはフロントサイド上に位置設定されている場合、各サイドパネルは、リアサイドまたはフロントサイドの最も外側の縁部またはその近くに位置設定される。
【００５８】
上述の構築ラインおよび構築ディテールは着用者の脚部および臀部に焦点をあてているが、胸部、胴部および／またはウエストなどの着用者の他の特徴部の知覚を変更するために、アナトミーワーピングを適用することもできる。例えば、図９は、本開示の一態様に係る、直線のシーム９０２を伴うシャツおよび本開示の一態様に係るアナトミーワーピングされたシーム９０４を伴う同じシャツを、同一人物９０６が身につけた状態で例示している。この実施形態において、シャツ９００上のシーム９２４は、着用者９０６の胸部またはバストの丸味および／またはサイズの外観を増大させるため、アナトミーワーピングされている。したがって、アナトミーワーピングされたシーム９０４は、着用者９０６の胸部全体にわたりシャツ９００の水平方向中心から外向きに湾曲するかまたは離れるようにアーチ状になっている。さらに、この実施形態では、シーム９０４は、ガーメント上の着用者９０６の胸部の上方および下方で直線である。したがって、シーム９０４は、この実施形態におけるバストのようなワーピング対象の特徴部上またはその近くで湾曲または調整される。
【００５９】
図１０〜１４は、着用者の１つ以上の特徴部の知覚を変更するための異なるアナトミーワーピングを例示する、さまざまな異なるガーメントの正面図である。図１０は、本開示の一態様に係る、着用時に着用者の胸部の外観を変更するためのアナトミーワーピングされたシームを伴うシャツを例示する正面平面図である。この実施形態において、着用時に着用者の胸部の上部部分全体にわたりおよび／またはその近くに、水平方向シーム１００２が位置設定される。アナトミーワーピングされたシーム１００２は、ガーメント１０００の最下部１００８から離れるようにアーチ状になっている第１の湾曲部１００４および第２の湾曲部１００６を含む。この実施形態において、各湾曲部１００４、１００６は、着用時に着用者のバスト全体にわたりまたはその近くに収まるように位置付けされる。したがって、一部の実施形態において、アナトミーワーピングされた水平方向シーム１００２は、着用時にガーメント上で直線の水平方向シームを使用するシャツに比べて、バストをより丸くかつ／または大きく見せる。さらなる実施形態において、アナトミーワーピングされた水平方向シーム１００２は、着用時にガーメント上で直線の水平方向シームを使用するシャツに比べて、バストをより魅力的に見せる。一部の実施形態において、胸部および／またはウエストは、形成外科医により決定および／または収集された公知の魅力的な特性に基づいて調整される。
【００６０】
図１１は、本開示の一態様に係る、アナトミーワーピングされたシーム１１０２、１１０３、１１０４、１１２２および１１２０を伴うワンピース１１００を例示する正面平面図である。図１０と同様に、ワンピース１１００は、着用時に着用者の胸部の上部部分全体にわたりおよび／またはその近くでワンピース１１００上に位置設定される水平方向のアナトミーワーピングされたシーム１１０４を含む。アナトミーワーピングされたシーム１１０４は、着用時に着用者のウエストライン１１０９から離れるようにアーチ状になる第１の湾曲部１１０６および第２の湾曲部１１０８を含む。この実施形態において、各湾曲部１１０６、１００８は、着用時に着用者のバストまたはその近くでワンピース１１００上に位置付けされる。図９と同様、ワンピース１１００は同様に、着用時に着用者の胸部の外観を変更するために、アナトミーワーピングされた垂直方向シーム１１０２および１１０３を含んでいる。アナトミーワーピングされた垂直方向シーム１１０２および１１０３は、水平方向シーム１１０４から始まり、着用者の胸部全体にわたりおよび／またはその近くで、ワンピース１１００の水平方向中心から外向きに湾曲する１１１０、１１１２かまたは離れるようにアーチ状になっている。しかしながら、図９中のシーム９０４とは異なり、この実施形態において、シーム１１０２および１１０３は、ガーメント上の着用者９０６の胸部下方で内向きに湾曲１１１４、１１１６を継続する。湾曲部１１１４および１１１６はワンピース１１００の垂直方向中心に向かってアーチ状になっている。湾曲部１１１４および１１１６は、バストをより丸くかつ／または大きく見せるのみならず、着用者のウエストをより細く見せることもできる。
【００６１】
さらに、垂直方向シーム１１０２および１１０３は、各々、対応する部分的垂直方向シーム１１２２および１１２０を含む。これらの対応するシーム１１２２および１１２０は、水平方向シーム１１０４から出発し下向きに延在し、着用者のバストを横断して湾曲する。さらに、シーム１１２２と１１０３の間および１１０２と１１２０の間の幅は、図１１に例示されているように、これらのシームが交わるまで、水平方向シーム１１０４から漸進的に減少する。上述のパンツ８００上のサイドパネル８０２と同様、これらのアナトミーワーピングされた垂直方向シーム１１２０および１１２２は、バストをより丸くかつ／またはより幅広く見せるのみならず、幅の変化に起因して、人間の脳に対し着用者のバストを垂直方向により長く見せることもできる。
【００６２】
図１２は、本開示の一態様に係る、アナトミーワーピングされたシーム１２０２、１２０４、１２０６、１２０８、１２１８および１２２０を伴うワンピース１２００を例示する正面平面図である。この実施形態において、ワンピース１２００は、着用者の胸部またはバストの外観を変更するため、４つの別個の垂直方向のアナトミーワーピングされたシーム１２０２、１２０４、１２０６、１２０８を利用する。さらに、４つの別個の垂直方向のアナトミーワーピングされたシーム１２０２、１２０４、１２０６、１２０８は、ウエストのサイズを減少させることができ、着用者の胴部をより長く見せることができる。この実施形態において、シーム１２０２および１２０６は、第１のフロントシームパネル１２０３を形成し、シーム１２０４および１２０８は第２のフロントシームパネル１２０５を形成する。したがって、アナトミーワーピングされたシーム１２０２、１２０４、１２０６、１２０８または第１のフロントシームパネル１２０３および第２のフロントシームパネル１２０５は各々、着用者の胸部全体にわたりワンピース１２００の水平方向中心から離れるようにアーチ状になっている湾曲部１２１０、１２１２、１２１４および１２１６を含む。さらに、この実施形態において、第１のフロントシームパネル１２０３および第２のフロントシームパネル１２０５の幅は、各シームパネルの最上部から各シームパネルの最下部まで、漸進的に減少する。こうして、着用者の胴部はより長く、かつ／またはより細く見え得る。４つの別個の垂直方向のアナトミーワーピングされたシーム１２０２、１２０４、１２０６、１２０８は各々、上端部と下端部を含む。上端部は下端部よりも、フロントサイドの近くに位置設定される。したがって、第１のフロントシームパネル１２０３および第２のフロントシームパネル１２０５は、ワンピースの水平方向中心に向かってアーチ状になっているわずかな第２の下部湾曲部１２３０、１２３２、１３３４および１２３６を含む。こうして、着用者のウエストはより小さく見え得る。さらに、ワンピース１２００は、このワンピース１２００の最上部に向かってアーチ状になり下向きに傾斜している着用者のバストラインを横断するまたはその近くの、左水平方向湾曲部１２２０および右水平方向湾曲部１２１８を含む。こうして、ワンピース１２００の着用者のバストは、着用者の胸部を横断するまたはその近くの直線の水平方向ラインを使用したワンピースに比べて、より丸くかつ／またはより大きく見え得る。図１２は、異なる特徴部を横断して組合せた形で、異なるアナトミーワーピングされた構築ラインおよびディテールをどのように使用できるかを例示している。
【００６３】
図１３は、本開示の一態様に係るアナトミーワーピングされたシーム１３０２、１３０４、１３１０、１３１２およびポケット１３１８、１３２０を伴うシャツ１３００を例示する正面平面図である。図１３は、同じおよび異なる特徴部を横断して組合せた形で、異なるアナトミーワーピングされた構築ラインおよびディテールをどのように使用できるかの別の実施例を示す。例えば、垂直方向シーム１３０２、１３０４、１３１０、１３１２およびポケット１３１８、１３２０は全て、着用者のバストをより丸くかつ／または大きく見せることができる。さらに、垂直方向シーム１３０２、１３０４、１３１０および１３１２は、着用者の胴部および／またはバストをより長く見せることもできる。垂直方向シーム１３０２および１３０４は、シャツ１３００の最上部または最上シーム１３０５からシャツ１３００の最下部１３０７まで下向きに延在する。各々のシーム１３０２および１３０４は、着用時に着用者のバスト上でかつ／またはその近くで湾曲１３０８および１３０６する。湾曲部１３０８および１３０６はシャツ１３００の外側に向かってアーチ状になっている。各シーム１３０２および１３０４は、左垂直方向パネル１３４２および右垂直方向パネル１３４０を形成するために、対応する内側垂直方向シーム１３１０および１３１２を含む。内側垂直方向シーム１３１０および１３１２は、ポケット１３２０および１３１８の最上縁部１３２２および１３２４からシャツ１３００の最下部１３０７まで延在する。さらに、内側垂直方向シーム１３１０および１３１２は同様に、着用時に着用者のバストを横断してかつ／またはその近くで湾曲１３１４および１３１６する。パネル１３４０および１３４２は、ポケット１３１８および１３２０の最上縁部１３２２および１３２４からシャツ１３００の最下部１３０７まで、幅が漸進的に減少する。例えば、パネル１３４０の最上部近くの幅１３３４は、最下部１３０７近くのパネル１３４０の幅１３３６よりも大きい。シーム１３０２、１３０４、１３１０および１３１２の湾曲部１３０６、１３０８、１３１４および１３１６は、着用者のバストをより大きくかつ／またはより丸く見せる。さらに、シーム１３０２、１３０４、１３１０および１３１２により形成される垂直方向パネル１３４０および１３４２の幅の漸進的な減少は、着用者の胴部をより長くかつ／またはより細く見せることができる。
【００６４】
図１３に例示されているシャツ１３００は同様に、着用時に着用者のバスト上にかつ／またはその近くに位置設定された左ポケット１３２０および右ポケット１３１８を含む。ポケット１３１８および１３２０は各々、最上縁部１３２２、１３２４、内側縁部１３２８、１３３０、外側縁部１３２６、１３３２および最下縁部１３３８、１３３９を含む。図１３により例示されているように、ポケット１３１８および１３２０の最上縁部１３２２および１３２４は、シャツ１３００の最上部１３０５に向かってアーチ状となるように湾曲させられている。湾曲した最上縁部１３２２および１３２４は、直線の最上縁部よりもバストをより丸くかつ／またはより大きく見せる。さらに、ポケット１３１８および１３２０は共に、それらの対応する外側縁部１３２６および１３３２よりも長い内側縁部１３２８および１３３０を含む。したがって、ポケット１３１８および１３２０は、内側縁部１３２８および１３３０から外側縁部１３２６および１３３２まで垂直方向高さが漸進的に減少する。ポケット１３１８および１３２０のこの漸進的な高さ減少は、均一の高さを有するポケットに比べて、着用者のバストをより広く、ひいてはより大きく見せることができる。
【００６５】
上述のようなガーメント上のアナトミーワーピングされた構築ラインおよびディテールは、着用者の特徴部の外観を変更するために、知覚法則を利用する。上述の実施例は、構築ラインおよび構築ディテールの湾曲部、角度、幅および／または高さを調整するかまたは構築ラインおよび／または構築ディテールを付加して、身体の特徴部の知覚を変更するが、これらの調整は、脳が、最上縁部自体に原因を求めず、ワーピングされたラインおよび／またはディテールを着用者の形状により創出されているものとして解釈するのに充分なほど微妙なものでなければならない。例えば、過度に大きいかまたは極端である構築ラインおよび構築ディテールに対する変更は、脳により解釈され、着用者ではなくガーメント自体に起因すると考えられる。これらのタイプの変更は、デザインの選択肢であり、アナトミーワーピングの定義から外れる可能性がある。
【００６６】
女性用ガーメントの特定の特徴部についてアナトミーワーピングを詳細に説明してきたが、アナトミーワーピングについて以上で論述された原理は、他のさまざまな女性用ガーメントおよび他のさまざまな男性用ガーメントに適用可能である。さらに、開示されたアナトミーワーピングされた構築ディテールおよびラインは、以上で特定のガーメントについて以上の特定の組合で論述されたものの、開示されたアナトミーワーピングされた構築ディテールおよび／またはラインのいずれも、任意の所望のガーメント上で単独でおよび／または任意の組合せで利用され得る。さらに、当業者であれば理解するように、上述のもの以外の構築ラインおよび／またはディテールの追加のアナトミーワーピングを利用して上述の特徴部の外観を変更することができる。さらに、当業者であれば理解するように、以上で論述されていない追加の特徴部の外観を変更するために、構築ラインおよび／またはディテールの追加のアナトミーワーピングを利用することができる。さらに、開示されたアナトミーワーピングされた構築ディテールおよびラインは、特定の所望の特徴部範囲および寸法に関して以上で論述されたものの、知覚法則は、任意の所望の特徴部範囲または寸法に向かってガーメントの外観を変更するために利用可能である。
【実施例】
【００６７】
下表１は、異なるジーンズスタイルのリアサイド上のアナトミーワーピングされたポケットおよびヨークについての異なる配置および測定値を列挙している。これらの測定値および配置は、単なる一例に過ぎず、限定的意味は無い。当業者にとっては公知であるように、ヨークおよびリアポケットの他の配置およびサイズを、臀部のアナトミーワーピングのために使用することができる。図１５は、本開示の一態様に係る、表１に記載された異なる測定場所を例示するパンツ１５００の部分背面図である。図１５は、２つの異なるバックポケット（ＢＰ）１５０２およびバックヨーク（ＢＹ）１５０４を例示する。バックポケット１５０２の開口部における幅は、幅１５０６によって示されている。ポケット１５０２の中央におけるバックポケット１５０２の高さは、高さ１５０８によって実証されている。バックヨーク１５０４からのバックポケット１５０２の距離は、パンツの中心に向かう高さ１５１０およびパンツのサイドに向かう高さ１５１２によって示されている。さらに、バックポケット１５０２は、幅１５１４により例示されているような、内側隅部から内側隅部までの相互間の特定の距離のところに位置設定されている。
【００６８】
下表１で測定されているバックヨーク１５０４の測定値および配置は、図１５によっても例示されている。パンツ１５００のセンタバック（ＣＢ）１５１１における下部ウエストシーム１５０３からのバックヨーク１５０４の高さは高さ１５１６によって、サイドシームからは高さ１５１８によって示される。パンツ１５００のセンタバック１５１１から、ヨーク１５０４と下部ウエストシーム１５０３の間の最も狭い部分までの距離は、幅１５２０によって示される。下部ウエストシーム１５０３とヨーク１５０４の間の最も小さい距離である、バックヨーク１５０４と下部ウエストシーム１５０３の間の距離は、図１５において高さ１５２２によって例示されている。
【００６９】
【表１−１】
2019521263.tif 000003
【表１−２】
2019521263.tif 000004
【００７０】
例として本開示の態様が、以上で、本開示の態様に係る方法、システムおよびコンピュータプロダクトのブロック図および／または動作図を参照しながら説明されている。ブロック内に指摘された機能／行為は、いずれかの流れ図中で示された順序以外で行なわれてよい。例えば、連続して示された２つのブロックは、実際には、実質的に同時に実行されてよく、または、関与する機能性／行為に応じて、時としてブロックを逆の順序で実行することもできる。
【００７１】
本開示は、考えられる態様のいくつかだけが描かれている添付図面を参照しながら、当該技術のいくつかの態様を説明している。しかしながら、他の態様を多くの異なる形態で具体化することができ、本明細書中に開示された特定の態様は、本明細書中に記載されている開示のさまざまな態様に限定されるものとしてみなされるべきではない。むしろ、これらの例示的態様は、本開示の徹底的かつ完全なものであり当業者に対して他の考えられる態様の範囲を完全に伝えるように提供されたものである。例えば、本明細書中で開示されたさまざまな態様は、本開示の範囲から逸脱することなく修正および／または組合され得る。
【００７２】
本明細書中では特定の態様が説明されたが、技術の範囲はこれらの特定の態様に限定されるものではない。当業者であれば、当該技術の範囲または精神に入る他の態様または改良を認識するものである。したがって、特定の構造、行為または媒体は、単に例示的態様として開示されているに過ぎない。技術の範囲は、以下のクレームおよびその中のあらゆる等価物によって定義される。
【００７３】
さまざまな実施形態および／または実施例が、以上で、本開示の態様に係る方法、システムおよびコンピュータプロダクトのブロック図および／または動作図を参照しながら説明されている。ブロック内に指摘された機能／行為は、いずれかの流れ図中で示された順序以外で行なわれてよい。例えば、連続して示された２つのブロックは、実際には、実質的に同時に実行されてよく、または、関与する機能性／行為に応じて、時としてブロックを逆の順序で実行することもできる。
【００７４】
本出願中で提供されている１つ以上の態様の説明および図示は、いかなる形であれ本開示の範囲を限定または制限するように意図されていない。本出願中に提供されている実施形態、実施例および詳細は、所有権を伝達し他者が請求対象の開示の最良の形態を製作し使用できるようにするのに充分なものであると考えられる。クレームは、本出願中に提供されているいずれかの実施形態、実施例または詳細に限定されるものとみなされるべきではない。組合せた形または別個のいずれの形で示され説明されているかの如何に関わらず、さまざまな特徴部（構造および方法の両方に関する）は、特定の一組の特徴部を伴う実施形態を生み出すために、選択的に含められるかまたは省かれるように意図されている。本出願の説明および図示が提供されたことから、当業者であれば、クレームのより広い範囲から逸脱しない本出願中に具体化された一般的な発明力ある概念のより広い態様の精神に入る変更、修正および変形実施形態を想定することができる。
【図１】
2019521263.tif 000005
【図２】
2019521263.tif 000006
【図３】
2019521263.tif 000007
【図４】
2019521263.tif 000008
【図５Ａ】
2019521263.tif 000009
【図５Ｂ】
2019521263.tif 000010
【図５Ｃ】
2019521263.tif 000011
【図５Ｄ】
2019521263.tif 000012
【図５Ｅ】
2019521263.tif 000013
【図６】
2019521263.tif 000014
【図７】
2019521263.tif 000015
【図８】
2019521263.tif 000016
【図９】
2019521263.tif 000017
【図１０】
2019521263.tif 000018
【図１１】
2019521263.tif 000019
【図１２】
2019521263.tif 000020
【図１３】
2019521263.tif 000021
【図１４】
2019521263.tif 000022
【図１５】
2019521263.tif 000023
【図１６】
2019521263.tif 000024
【図１７】
2019521263.tif 000025
【図１８】
2019521263.tif 000026
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
−  フロントサイドと；
−  前記フロントサイドとは反対側のリアサイドと；
−  着用時にガーメントの着用者の臀部の第１の山上に少なくとも部分的に位置付けされた、前記リアサイド上の第１のポケットと；
−  着用時に前記ガーメントの前記着用者の前記臀部の第２の山上に少なくとも部分的に位置付けされた、前記リアサイド上の第２のポケットと、
を含むボディエンハンシングガーメントにおいて、
−  前記第１のポケットおよび前記第２のポケットが各々、
・  第２の湾曲部の上方の第１の湾曲部を伴い、前記第１の湾曲部が前記ポケットの中心に向かってアーチ状になり、前記第２の湾曲部が前記ポケットの中心から離れるようにアーチ状になっている、内側縁部、および、
・  前記ポケットの中心から離れるようにアーチ状になっている湾曲した最上縁部、
のうちの少なくとも１つを含み、
前記第１のポケットおよび前記第２のポケットにより形成されたラインおよびディテールが、着用されたときの前記着用者の前記臀部の外観を変化させる、
ボディエンハンシングガーメント。
【請求項２】
前記第１のポケットおよび前記第２のポケットが各々、
−  前記ポケットの中心から離れるようにアーチ状になっている湾曲した外側縁部、
を含み、
−  前記湾曲した外側縁部が前記内側縁部よりも長い、
請求項１に記載のガーメント。
【請求項３】
前記第１のポケットおよび前記第２のポケットの形状が、所望の臀部形状の２次元奥行マップを用いて作成される、請求項１に記載のガーメント。
【請求項４】
前記第１のポケットおよび前記第２のポケットが各々、
−  第２の湾曲部の上方の第１の湾曲部を伴い、前記第１の湾曲部が前記ポケットの中心に向かってアーチ状になり、前記第２の湾曲部が前記ポケットの中心から離れるようにアーチ状になっている、前記内側縁部、および、
−  前記ポケットの中心から離れるようにアーチ状になっている湾曲した、前記最上縁部、を含む、請求項１に記載のガーメント。
【請求項５】
−  前記内側縁部が上端部と下端部とを含み、
−  前記湾曲した最上縁部が内側端部と外側端部とを含み、
−  前記上端部および前記内側端部が連結して上部内側隅部を形成し、
−  前記第１のポケット及び前記第２のポケットの前記上部内側隅部間の距離が２インチ〜３インチ（５．０８ｃｍ〜７．６２ｃｍ）である、
請求項１に記載のガーメント。
【請求項６】
前記リアサイド上のヨークをさらに含み、
−  前記ヨークがウエストラインと前記第１および前記第２のポケットの間に位置付けされており、
−  前記湾曲した最上縁部が内側端部と外側端部とを含み、
−  前記内側端部と前記ヨークの間の距離が１／２インチ〜３／４インチ（１．２７ｃｍ〜１．９１ｃｍ）であり、
−  前記外側端部と前記ヨークの間の距離が１インチ〜１．５インチ（２．５４ｃｍ〜３．８１ｃｍ）である、
請求項１に記載のガーメント。
【請求項７】
前記第１のポケットおよび前記第２のポケットが、前記第１のポケットおよび前記第２のポケットの各々の中心において４インチ〜５  １／２インチの（１０．１６ｃｍ〜１３．９７ｃｍ）高さ、および最上縁部において４  １／２〜５  １／２インチ（１１．４３ｃｍ〜１３．９７ｃｍ）の第１の幅と、前記第１のポケットおよび前記第２のポケットの各々の中心における第２の幅であって、該第１の幅より約１／２インチ（１．２７ｃｍ）小さい、第２の幅とを有する、請求項１に記載のガーメント。
【請求項８】
前記リアサイド上のヨークをさらに含み、
−  前記ヨークがウエストラインと前記第１および第２のポケットの間に位置付けされ、
−  前記ヨークが右湾曲部と左湾曲部を有し、
−  前記右湾曲部および前記左湾曲部が各々、ウエストラインに向かってアーチ状になっており、前記リアサイドの水平方向中心で連結する、
請求項１に記載のガーメント。
【請求項９】
前記左湾曲部および右湾曲部の各々が、前記リアサイドの水平方向中心から３インチ〜３．５インチ（７．６２ｃｍ〜８．８９ｃｍ）の距離のところで、前記着用者の前記ウエストラインに最も近い、請求項８に記載のガーメント。
【請求項１０】
前記左湾曲部および前記右湾曲部が、前記リアサイドの前記水平方向中心から３インチ〜３．５インチ（７．６２ｃｍ〜８．８９ｃｍ）の距離のところで、下部ウエストシームより１／４インチ〜１  １／２インチ（０．６４ｃｍ〜３．８１ｃｍ）下方にある、請求項９に記載のガーメント。
【請求項１１】
−  第１のサイドシームと；
−  前記第１のサイドシームとは反対側の第２のサイドシームと；
をさらに含み、
−  前記ヨークの前記左湾曲部が、前記第１のサイドシームにおいて前記下部ウエストシームから１  ７／８インチ〜１  ３／４インチ（４．７６ｃｍ〜４．４５ｃｍ）の距離のところにあり、
−  前記ヨークの前記右湾曲部は、前記第２のサイドシームにおいて前記下部ウエストシームから１  ７／８インチ〜１  ３／４インチ（４．７６ｃｍ〜４．４５ｃｍ）の距離のところにある、
請求項１０に記載のガーメント。
【請求項１２】
第１のサイドパネルおよび該第１のサイドパネルと反対側の第２のサイドパネルを含み、前記第１のサイドパネルおよび前記第２のサイドパネルの幅がウエストラインから前記ガーメントの最下部まで漸進的に減少する、請求項１に記載のガーメント。
【請求項１３】
−  フロントサイドと；
−  第１のサイドシームと；
−  前記第１のサイドシームとは反対側の第２のサイドシームと；
−  前記フロントサイドとは反対側のリアサイドと；
−  前記リアサイド上のヨークと；
を含むボディエンハンシングガーメントにおいて、
−  前記ヨークがアナトミーワーピングされ、前記ガーメントのウエストラインの下方に位置付けされており、
−  前記ヨークが右湾曲部と左湾曲部を有し、
−  前記右湾曲部が前記第１のサイドシームから前記リアサイドの中心まで延在し、前記ガーメントの最上部に向かってアーチ状になっており、
−  前記左湾曲部が前記第２のサイドシームから前記リアサイドの中心まで延在し、前記ガーメントの前記最上部に向かってアーチ状になっており、
−  前記右湾曲部および前記左湾曲部が前記ガーメントの前記リアサイドの中心で連結する、ボディエンハンシングガーメント。
【請求項１４】
前記左湾曲部および前記右湾曲部の各々が、前記リアサイドの中心から２．５インチ〜８インチ（６．３５ｃｍ〜２０．３２ｃｍ）の距離のところで前記ウエストラインに最も近い、請求項１３に記載のガーメント。
【請求項１５】
前記左湾曲部および前記右湾曲部が、前記リアサイドの中心から３インチ〜３．５インチ（７．６２ｃｍ〜８．８９ｃｍ）の距離のところで下部ウエストシームより１／４インチ〜１  １／２インチ（０．６４ｃｍ〜３．８１ｃｍ）下方である、請求項１４に記載のガーメント。
【請求項１６】
−  前記左湾曲部が、第１のサイドシームにおいて前記下部ウエストシームより１  ７／８インチ〜１  ３／４インチ（４．７６ｃｍ〜４．４５ｃｍ）の距離のところにあり、
−  前記右湾曲部が、前記第２のサイドシームにおいて前記下部ウエストシームより１  ７／８インチ〜１  ３／４インチ（４．７６ｃｍ〜４．４５ｃｍ）の距離のところにある、
請求項１５に記載のガーメント。
【請求項１７】
−  前記第１のサイドシームと共に第１のサイドパネルを形成する第３のサイドシームと；
−  前記第２のサイドシームと共に第２のサイドパネルを形成する第４のサイドシームと；
をさらに含み、
前記第１のサイドシームと前記第３のサイドシームの間の距離が、前記ウエストラインから前記ガーメントの最下部まで漸進的に減少し、
−  前記第２のサイドシームと前記第４のサイドシームの間の距離が、前記ウエストラインから前記ガーメントの最下部まで漸進的に減少する、
請求項１４に記載のガーメント。
【請求項１８】
少なくとも前記第３のサイドシームおよび前記第４のサイドシームが前記ガーメントの前記フロントサイド上にある、
請求項１７に記載のガーメント。
【請求項１９】
ボディエンハンシングパンツにおいて、
−  第１のシームと第２のシームの間に形成された第１のサイドパネルと；
−  第３のシームと第４のシームの間に形成された第２のサイドパネルと；
を含み、
−  前記第１のサイドパネルおよび前記第２のサイドパネルの幅が前記パンツの最上部から最下部まで漸進的に減少し、
−  前記第１のサイドパネルおよび前記第２のサイドパネルが、線遠近法の原理に基づいて形成される、ボディエンハンシングパンツ。
【請求項２０】
−  前記第１のサイドパネルおよび前記第２のサイドパネルの幅が、前記パンツの前記最上部において１インチ〜２インチ（２．５４ｃｍ〜５．０８ｃｍ）であり、
−  前記第１のサイドパネルおよび前記第２のサイドパネルの幅が、前記パンツの前記最下部において１／８インチ〜７／８インチ（０．３２ｃｍ〜２．２２ｃｍ）である、
請求項１９に記載のパンツ。
【国際調査報告】
2019521263.tif 000027
2019521263.tif 000028
2019521263.tif 000029
2019521263.tif 000030
2019521263.tif 000031
2019521263.tif 000032